(57)【要約】【課題】扉開閉時の操作が僅かな力で行なえる扉用平面ハンドル装置を提供する。【解決手段】室内の出入口に設けられる扉２の回動枢支側とは反対側の端面側に内蔵されるケース１の内部にはケース１の前面板１ａに形成された開口部１ａ’からラッチ３を出没動作させるラッチ出没機構４が設けられており、ラッチ出没機構４の２つのホルダー１１の中心部を貫通する連結手段１５の両端に取り付けた鍔付き部材１６，１７を平面ハンドル１８，１９に係合させ、平面ハンドル１８，１９の押すまたは引く操作により連結手段１５を介して何れかのホルダー１１をコイルばね１３の付勢力に抗して移動させ、何れかのホルダー１１のマグネット１２をラッチ３を取り付けたシャフト７のマグネット６に対向させることによりマグネット１２，６同士が引き合い、ラッチ３をコイルばね１０の付勢力に抗して前面板１ａの開口部１ａ’に没入させるように構成した。【選択図】        図１２
2004332519.tif 000002
【特許請求の範囲】
【請求項１】
建物内の室内の出入口に設けられる扉の回動枢支側とは反対側の端面側に内蔵されるケースの内部にはケースの前面板に形成された開口部からラッチを出没動作させるラッチ出没機構が設けられており、このラッチ出没機構は長さ方向一端側に前記ラッチを取り付け、長さ方向他端側にマグネットを取り付けたシャフトと、このシャフトを介してラッチを前面板の開口部から突出させる方向に付勢するばねと、前記マグネットの後方位置で前記マグネットに対向する位置とずれた位置との間で左右に動き２つのホルダーに取り付けられて各ホルダーと一体に動くマグネットと、２つのホルダー間に介在され２つのホルダーを互いに反発させるばねとを備え、前記２つのホルダーの中心部を貫通する連結手段の両端に取り付けた鍔付き部材の鍔部を平面ハンドルの板状操作部の裏面に係合させ、板状操作部の押すまたは引く操作により連結手段を介して２つの何れかのホルダーを前記ばねの付勢力に抗して移動させ、２つの何れかのホルダーのマグネットを前記シャフトに取り付けたマグネットに対向させることによりホルダーに取り付けたマグネットとシャフトに取り付けたマグネット同士が引き合い、前記ラッチをばねの付勢力に抗して前面板の開口部に没入させるように構成したことを特徴とする扉用平面ハンドル装置。
【請求項２】
２つのホルダー間に侵入して２つのホルダーの動きを止めるロック部材を備えたことを特徴とする請求項１記載の扉用平面ハンドル装置。
【請求項３】
ケースの前面板には扉枠の内面に設けたマグネットと吸着されるマグネットを設けたことを特徴とする請求項１または２記載の扉用平面ハンドル装置。
【請求項４】
ケースの前面板には扉枠の内面に設けたマグネットもしくは磁性体と吸着される磁性体もしくはマグネットを設けたことを特徴とする請求項１または２記載の扉用平面ハンドル装置。
【発明の詳細な説明】
【０００１】
【発明の属する技術分野】
本発明は扉用平面ハンドル装置に関するものである。
【０００２】
【従来の技術】
従来からスィング式扉において、出入口の内側および外側から扉を開閉するために扉の両面に回動式のハンドルレバーが設けられたものが知られている。
【０００３】
その一例として、例えば特許文献１に開示されているように、扉の両面に位置するハンドルレバーはケース内に設けられたばねによりほぼ水平に持ち上げられた状態を保持し、扉の開くときにハンドルレバーを前記ばねの力に抗して下向きに回動させてラッチを扉枠の受け座から出退させるように構成されたものがある。
【０００４】
つまり、前記ケース内に設けられたばねはハンドルレバーの重量を支える力を備えているものの、長期の使用においてハンドルレバーを多数回にわたり回動させるとばね力が劣化し、特に重いハンドルレバーを使用するとばねがハンドルレバーをほぼ水平に支えるだけの力がなくなり、ハンドルレバーが垂れ気味になるという問題があった。
【０００５】
【特許文献１】
実用新案登録第２６０５００８号公報
【０００６】
【発明が解決しようとする課題】
本発明は前記従来のような回転式のハンドルレバーを使用せずに扉開閉時の操作が僅かな力で行なえる扉用平面ハンドル装置を提供することを目的とするものである。
【０００７】
【課題を解決するための手段】
この課題を解決するために本発明は、建物内の室内の出入口に設けられる扉の回動枢支側とは反対側の端面側に内蔵されるケースの内部にはケースの前面板に形成された開口部からラッチを出没動作させるラッチ出没機構が設けられており、このラッチ出没機構は長さ方向一端側に前記ラッチを取り付け、長さ方向他端側にマグネットを取り付けたシャフトと、このシャフトを介してラッチを前面板の開口部から突出させる方向に付勢するばねと、前記マグネットの後方位置で前記マグネットに対向する位置とずれた位置との間で左右に動き２つのホルダーに取り付けられて各ホルダーと一体に動くマグネットと、２つのホルダー間に介在され２つのホルダーを互いに反発させるばねとを備え、前記２つのホルダーの中心部を貫通する連結手段の両端に取り付けた鍔付き部材の鍔部を平面ハンドルの板状操作部の裏面に係合させ、板状操作部の押すまたは引く操作により連結手段を介して２つの何れかのホルダーを前記ばねの付勢力に抗して移動させ、２つの何れかのホルダーのマグネットを前記シャフトに取り付けたマグネットに対向させることによりホルダーに取り付けたマグネットとシャフトに取り付けたマグネット同士が引き合い、前記ラッチをばねの付勢力に抗して前面板の開口部に没入させるように構成したことを要旨とするものである。また本発明は、２つのホルダー間に侵入して２つのホルダーの動きを止めるロック部材を備えたことを要旨とするものである。また本発明は、ケースの前面板には扉枠の内面に設けたマグネットと吸着されるマグネットを設けたことを要旨とするものである。さらに本発明は、ケースの前面板には扉枠の内面に設けたマグネットもしくは磁性体と吸着される磁性体もしくはマグネットを設けたことを要旨とするものである。
【０００８】
この構成により、何れか一方の平面ハンドルを押したり引いたりしてケース内に納められている２つのホルダーに取り付けられたマグネットを扉の厚み方向に対して垂直方向の運動を行なわせることによりラッチの動きを扉の幅方向に対して平行運動に変換するようにしてラッチのロック、ロック解除を行なうことができ、前記従来のような回転式のハンドルレバーを使用せずに扉開閉時の操作が僅かな力で行なえる扉用平面ハンドル装置を提供することができる。
【０００９】
【発明の実施の形態】
以下、本発明の一実施の形態について説明する。
図１〜図１７において、１は建物内の室内の出入口に設けられる扉２の回動枢支側とは反対側の端面側に内蔵されるケースで、このケース１の内部には高さ方向中間部にケース１の前面板１ａに形成された開口部１ａ’からラッチ３を出没動作させるラッチ出没機構４がブロック５に内蔵されて設けられている。ラッチ出没機構４は長さ方向一端側に前記ラッチ３を取り付け、長さ方向他端側にマグネット６を取り付けたシャフト７と、このシャフト７の長さ方向中間部が貫通するブロック５のばね収納部８内においてシャフト７の長さ方向中間部においてシャフト７に設けたフランジ部９に一端が当接し他端がばね収納部８の後端面に当接してシャフト７、延いてはラッチ３を前面板１ａの開口部１ａ’から突出させる方向に付勢するコイルばね１０と、前記マグネット６の後方位置で前記マグネット６に対向する位置とずれた位置との間で左右に動き２つのホルダー１１に取り付けられて各ホルダー１１と一体に動くマグネット１２と、２つのホルダー１１間に介在され２つのホルダー１１を互いに反発させるコイルばね１３と、前記２つのホルダー１１間に薄肉段部１４ａが侵入して２つのホルダー１１の動きを止めるロック部材１４とを備え、前記２つのホルダー１１の中心部を貫通する連結手段１５の両端に取り付けた鍔付き部材１６，１７の鍔部１６ａ，１７ａを平面ハンドル１８，１９の板状操作部１８ａ，１９ａの裏面に係合させ、板状操作部１８ａ，１９ａの押すまたは引く操作により連結手段１５を介して２つの何れかのホルダー１１を前記コイルばね１３の付勢力に抗して移動させ、２つの何れかのホルダー１１のマグネット１２を前記マグネット５の正面に対向させることによりマグネット１２，６同士が引き合い、前記ラッチ３をコイルばね１０の付勢力に抗して前面板１ａの開口部１ａ’に没入させるようになっている。なお、前記ラッチ３はコイルばね１０により付勢されて、扉２が閉じた状態においてこのラッチ３は扉枠２０の内面に形成されたラッチ受けとしての凹部２０ａに嵌入するように構成されている。
【００１０】
さらに、詳しくは前記連結手段１５は前記２つのホルダー１１の外側に位置する前記鍔付き部材１６，１７と、何れか一方の鍔付き部材１６の一端、詳しくは一方のホルダー１１側に向く端部に形成された雌ねじ孔２１に鍔部２２ａを備えた一端が嵌入される連結軸２２と、前記雌ねじ孔２１に螺入され中心に前記鍔部２２ａの外径よりも小径で前記連結軸２２を挿通させる貫通孔２３ａを有する雄ねじ部材２３と、他方の鍔付き部材１７の一端、詳しくは他方のホルダー１１側に向く端部に形成された雌ねじ孔２４に螺入され中心に前記連結軸２２を挿通させる貫通孔２５ａを有する雄ねじ部材２５と、この雄ねじ部材２５の貫通孔２５ａに挿通された連結軸２２の他端側雌ねじ孔２２ｂに螺入され座金２６を止めて前記雄ねじ部材２５を連結軸２２から抜け止め支持するビス２７とからなり、前記連結軸２２の一端の鍔部２２ａおよび他端の座金２６が一方の鍔付き部材１６および他方の鍔付き部材１７の内部で一方の鍔付き部材１６および他方の鍔付き部材１７に対して軸心方向に動くことができるようになっている。図１０に連結手段１５を前記ケース１に内蔵された２つのホルダー１１を挟み且つ連結するように取り付けた状態を示し、一方の鍔付き部材１６はケース１の一方の面側の孔部２８ａより一方のホルダー１１の外面に当接し、他方の鍔付き部材１７はケース１の他方の面側の孔部２８ｂより他方のホルダー１１の外面に当接している。
【００１１】
前記ケース１は前述のように扉２に内蔵されるのであって、ケース１を扉２に内蔵した後で扉２の外面側より前記連結手段１５が取り付けられるとともに、平面ハンドル取り付け金具２９，３０をケース１の上下両端部において貫通するビス３１によりケース１の両面において取り付ける。さらに詳しくは、前記連結手段１５取り付け部の位置で平面ハンドル取り付け金具２９，３０が扉２の外面で上下方向に向いて取り付けられている。この平面ハンドル取り付け金具２９，３０はそれぞれ下端に外側に直角に折れ曲がったビス止め片２９ａ，３０ａを備えるとともに、上端に外側に直角に折れ曲がった折り曲げ片２９ｂ，３０ｂと、この折り曲げ片２９ｂ，３０ｂの先端から上向きに折れ曲がった折り曲げ片２９ｃ，３０ｃとからなるＬ型の差し込み片２９ｄ，３０ｄを備えている。
【００１２】
前記平面ハンドル取り付け金具２９，３０には平面ハンドル１８，１９の本体部３２，３３が取り付けられる。詳しくは、平面ハンドル１８，１９の本体部３２，３３は正面から見て矩形（ほぼ正方形）の枠部３２ａ，３３ａと、この枠部３２ａ，３３ａの背面側における一端側半分を覆う板部３２ｂ，３３ｂとが一体成形により作られており、前記枠部３２ａ，３３ａの背面側における一端側半分を覆うように枠部３２ａ，３３ａの他端側に鉛直方向に向く枢支軸３４，３５を以って一端側が枢結された前記板状操作部１８ａ，１９ａを備え、この板状操作部１８ａ，１９ａを押すことにより他端側先端部が前記板部３２ｂ，３３ｂに当接するようになっている。ところで、この板状操作部１８ａ，１９ａの裏面には前記扉２の外面側に突出する連結手段１５の鍔付き部材１６，１７の鍔部１６ａ，１７ａに係合する係合部１８ｂ，１９ｂが一体に設けられている。さらに、前記枠部３２ａ，３３ａの下端部下面には前記平面ハンドル取り付け金具２９，３０のビス止め片２９ａ，３０ａを下側から当接させる段部３６，３７が形成され、枠部３２ａ，３３ａの上端部下面には前記平面ハンドル取り付け金具２９，３０のＬ型の差し込み片２９ｄ，３０ｄを下側から差し込むための溝部３８，３９が形成されている。
【００１３】
さらに、前記ロック部材１４には扉２の外面に形成された孔部２ａより連結軸４０が差し込まれ、この連結軸４０の両端に連結金具４１が取り付けられ、室内側および室外側において各連結金具４１に操作軸４２が取り付けられるようになっている。なお、各連結金具４１は前記平面ハンドル１８，１９の裏側、つまり平面ハンドル１８，１９と扉２の外面との間に位置して外側からは見えないように隠れており、必要に応じて連結金具４１に操作軸４２が取り付けられるものである。
【００１４】
さらに、図面に示す実施の形態では前記ケース１の前面板１ａに形成された開口部１ａ’の上側位置でマグネット４３が設けられており、また扉枠２０の内面に前記マグネット４３に吸着されるマグネット４４が設けられている。つまり、扉２の回動枢支側とは反対側の端面には一方のマグネット４３の一端側のＳ極またはＮ極が僅かに突出し、扉枠２０の内面には他方のマグネット４４の一端側のＮ極またはＳ極が僅かに突出して、両マグネット４３，４４のＳ極とＮ極あるいはＮ極とＳ極が互いに引き合うように構成されている。
【００１５】
なお、扉２の回動枢支側とは反対側の端面の前面板１ａもしくは扉枠２０の内面にマグネットを設け、扉枠２０の内面もしくは扉２の回動枢支側とは反対側の端面の前面板１ａに前記マグネットにより吸着される磁性体を設けるようにしても良い。
【００１６】
上記構成において、通常時は扉２は前記ラッチ３がコイルばね１０により付勢されて、扉枠２０の内面に形成された凹部２０ａに嵌入して閉扉状態となっており、この状態で室内側、つまり扉２の一方の面側より扉２を引くように開く場合は、扉２の一方の面側に存在する一方の平面ハンドル１８の板状操作部１８ａに指を掛けて引っ張り前記枢支軸３３の周りで回動させることにより板状操作部１８ａに係合する鍔部１６ａを持つ一方の鍔付き部材１６が引っ張られるとともに前記連結手段１５を介して他方の鍔付き部材１７も引っ張られ、この他方の鍔付き部材１７に接するホルダー１１が前記コイルばね１３のばね力に抗してケース１内の厚み方向中心側に移動し、このホルダー１１のマグネット１２を前記マグネット５に対向させることによりマグネット１２，６同士が引き合い、前記ラッチ３をコイルばね１０の付勢力に抗して扉枠２０の凹部２０ａから出退させ前面板１ａの開口部１ａ’に没入させることができ、扉２を開くことができる（図１３参照）。一方の平面ハンドル１８の板状操作部１８ａから手を離すと前記他方の鍔付き部材１７に接するホルダー１１が前記コイルばね１３のばね力に元の位置に戻り、平面ハンドル１８，１９の姿勢も元の状態（図１２参照）に戻ることになる。
【００１７】
また、扉２を室外側、つまり扉２の他方の面側より押すように開く場合は、扉２の他方の面側に存在する他方の平面ハンドル１９の板状操作部１９ａを押して前記枢支軸３５の周りで回動させることにより板状操作部１９ａに係合する鍔部１７ａを持つ他方の鍔付き部材１７が押されるとともに前記連結手段１５を介して他方の鍔付き部材１７も押され、この他方の鍔付き部材１７に接するホルダー１１が前記コイルばね１３のばね力に抗してケース１内の厚み方向中心側に移動し、このホルダー１１のマグネット１２を前記マグネット５に対向させることによりマグネット１２，６同士が引き合い、前記ラッチ３をコイルばね１０の付勢力に抗して前面板１ａの開口部１ａ’に没入させることができ、扉２を開くことができる。なお、このとき他方の鍔付き部材１７と連結手段１５の連結軸２２との連結部において遊び空間があり、押す力は一方の鍔付き部材１６側には作用せず、一方の平面ハンドル１８は静止した状態となる（図１４参照）。
【００１８】
また、扉２を室内側、つまり扉２の一方の面側より押すように開く場合は、扉２の一方の面側に存在する一方の平面ハンドル１８の板状操作部１８ａを押して前記枢支軸３４の周りで回動させることにより板状操作部１８ａに係合する鍔部１６ａを持つ一方の鍔付き部材１６が押されるとともに前記連結手段１５を介して一方の鍔付き部材１６も押され、この一方の鍔付き部材１６に接するホルダー１１が前記コイルばね１３のばね力に抗してケース１内の厚み方向中心側に移動し、このホルダー１１のマグネット１２を前記マグネット５に対向させることによりマグネット１２，６同士が引き合い、前記ラッチ３をコイルばね１０の付勢力に抗して前面板１ａの開口部１ａ’に没入させることができ、扉２を開くことができる。なお、このとき一方の鍔付き部材１６と連結手段１５の連結軸２２との連結部において遊び空間があり、押す力は他方の鍔付き部材１７側には作用せず、他方の平面ハンドル１９は静止した状態となる（図１５参照）。
【００１９】
また、扉２を室外側、つまり扉２の他方の面側より引くように開く場合は、扉２の他方の面側に存在する他方の平面ハンドル１９の板状操作部１９ａに指を掛けて引っ張り前記枢支軸３５の周りで回動させることにより板状操作部１９ａに係合する鍔部１７ａを持つ他方の鍔付き部材１７が引っ張られるとともに前記連結手段１５を介して一方の鍔付き部材１６も引っ張られ、この一方の鍔付き部材１６に接するホルダー１１が前記コイルばね１３のばね力に抗してケース１内の厚み方向中心側に移動し、このホルダー１１のマグネット１２を前記マグネット５に対向させることによりマグネット１２，６同士が引き合い、前記ラッチ３をコイルばね１０の付勢力に抗して前面板１ａの開口部１ａ’に没入させることができ、扉２を開くことができる（図１６参照）。
【００２０】
ところで、前記ロック部材１４は薄肉段部１４ａが前記２つのホルダー１１間に侵入して２つのホルダー１１の動きが止められるようになっているが、普段はロック部材１４の薄肉段部１４ａは前記２つのホルダー１１間には侵入しておらず、前記平面ハンドル１８，１９の操作により扉枠２０の凹部２０ａに対してラッチ３を自在に出退させることができるが、扉２を閉じた状態に保持したい場合は、室内側あるいは室外側において前記連結金具４１に操作軸４２を取り付け、この操作軸４２を摘んでロック部材１４の薄肉段部１４ａを前記２つのホルダー１１間に侵入させておくことにより、平面ハンドル１８，１９を操作しようとしてもラッチ３を動かせることができず、ラッチ３を扉枠２０の凹部２０ａに収めたままにし、扉２の開閉をできないようにすることができる。
【００２１】
なお、前述のようにケース１の前面板１ａ側および扉枠２０の内面側に扉２が閉じた状態において互いに吸着し合うマグネット４３，４４を設けたのは、平面ハンドル１８，１９を押したり引いたりしてラッチ３を扉枠２０の凹部２０ａから出退させるとき、ハンドル１８，１９の押し引きにより扉２が開かれる方向に力がかかりラッチ３が凹部２０ａに引っ掛かって凹部２０ａから出退しずらい場合があり、このようなトラブルを防止するべくマグネット４３，４４同士の吸着により扉２の開動を始点で停止させ、かかる状態でラッチ３を扉枠２０の凹部２０ａから出退させることにより開錠操作をスムーズに行なえるようになっている。
【００２２】
以上述べた実施の形態の特徴は、何れか一方の平面ハンドル１８，１９を押したり引いたりしてケース１内に納められている２つのホルダー１１に取り付けられたマグネット１２を扉２の厚み方向に対して垂直方向の運動を行なわせることによりラッチ３の動きを扉２の幅方向に対して平行運動に変換するようにした点にある。
【００２３】
【発明の効果】
以上のように本発明によれば、何れか一方の平面ハンドルを押したり引いたりしてケース内に納められている２つのホルダーに取り付けられたマグネットを扉の厚み方向に対して垂直方向の運動を行なわせることによりラッチの動きを扉の幅方向に対して平行運動に変換するようにしてラッチのロック、ロック解除を行なうことができ、前記従来のような回転式のハンドルレバーを使用せずに扉開閉時の操作が僅かな力で行なえる扉用平面ハンドル装置を提供することができる。
【図面の簡単な説明】
【図１】本発明の一実施の形態における扉用平面ハンドル装置を取り付けた扉が開いた状態を内側から見た全体斜視図である。
【図２】同扉が開いた状態における扉を内側から見た要部拡大斜視図である。
【図３】同扉が開いた状態における扉枠の要部拡大斜視図である。
【図４】同扉が閉じた状態における全体斜視図である。
【図５】同扉が閉じた状態における要部拡大図である。
【図６】同扉が開いた状態における扉を外側から見た要部拡大斜視図である。
【図７】同扉用平面ハンドル装置の分解斜視図である。
【図８】同扉用平面ハンドル装置の組み立て途中の斜視図である。
【図９】同扉用平面ハンドル装置の蓋板を開いて内部を見た側面図である。
【図１０】図９のＸ−Ｘ断面図である。
【図１１】同扉用平面ハンドル装置の取り付け部の縦断面図である。
【図１２】同扉用平面ハンドル装置の取り付け部の水平断面図である。
【図１３】同一方の平面ハンドルを引いた状態における扉用平面ハンドル装置の縦断面図である。
【図１４】同他方の平面ハンドルを押した状態における扉用平面ハンドル装置の縦断面図である。
【図１５】同他方の平面ハンドルを引いた状態における扉用平面ハンドル装置の縦断面図である。
【図１６】同一方の平面ハンドルを押した状態における扉用平面ハンドル装置の縦断面図である。
【図１７】同ラッチの動きを止めたロック状態を示す扉用平面ハンドル装置の縦断面図である。
【符号の説明】
１              ケース
１ａ            前面板
１ａ’          開口部
２              扉
３              ラッチ
４              ラッチ出没機構
５              ブロック
６              マグネット
７              シャフト
８              ばね収納部
９              フランジ部
１０              コイルばね
１１              ホルダー
１２              マグネット
１３              コイルばね
１４              ロック部材
１４ａ            薄肉段部
１５              連結手段
１６，１７        鍔付き部材
１６ａ，１７ａ    鍔部
１８，１９        平面ハンドル
１８ａ，１９ａ    板状操作部
１８ｂ，１９ｂ    係合部
２０              扉枠
２０ａ            凹部
２１              雌ねじ孔
２２              連結軸
２２ａ            鍔部
２２ｂ            雌ねじ孔
２３              雄ねじ部材
２３ａ            貫通孔
２４              雌ねじ孔
２５              雄ねじ部材
２５ａ            貫通孔
２６              座金
２７              ビス
２８ａ，２８ｂ    孔部
２９，３０        平面ハンドル取り付け金具
３１              ビス
３２，３３        本体部
３２ａ，３３ａ    枠部
３２ｂ，３３ｂ    板部
３４，３５        枢支軸
４３，４４        マグネット
【図１】
2004332519.tif 000003
【図２】
2004332519.tif 000004
【図３】
2004332519.tif 000005
【図４】
2004332519.tif 000006
【図５】
2004332519.tif 000007
【図６】
2004332519.tif 000008
【図７】
2004332519.tif 000009
【図８】
2004332519.tif 000010
【図９】
2004332519.tif 000011
【図１０】
2004332519.tif 000012
【図１１】
2004332519.tif 000013
【図１２】
2004332519.tif 000014
【図１３】
2004332519.tif 000015
【図１４】
2004332519.tif 000016
【図１５】
2004332519.tif 000017
【図１６】
2004332519.tif 000018
【図１７】
2004332519.tif 000019